(57)【要約】      （修正有）【課題】簡素な構成で量産性、耐久性に優れ、簡便かつ確実に固定することができ、組立て作業性、固定安定性に優れると共に、必要に応じて容易に着脱することができ、着脱作業性に優れるだけでなく、使用者の体格、症状の変化、好みなどに応じて、容易に着座部の前端側の高さ（角度）を調整することができ、汎用性に優れるアンカーサポートを提供する。【解決手段】着座部の左右各々の側部フレームの前端部に着脱自在に嵌着される略筒状の固着部２と、固着部から上方に延設された連結支持部４と、連結支持部に前方が高く後方が低くなるように傾斜して形成され第一支持部材の端部が挿通され着脱自在に連結される長孔状の連結孔５と、を有する第一支持具１を備えている。【選択図】図１
0003180183.tif 000002
【実用新案登録請求の範囲】
【請求項１】
障害者や要介護者が使用する椅子の着座部に着脱自在に装着されるアンカーサポートであって、
前記着座部の左右各々の側部フレームの前端部に着脱自在に嵌着される略筒状の固着部と、前記固着部から上方に延設された連結支持部と、前記連結支持部に前方が高く後方が低くなるように傾斜して形成され第一支持部材の端部が挿通され着脱自在に連結される長孔状の連結孔と、を有する第一支持具を備えたことを特徴とするアンカーサポート。
【請求項２】
前記第一支持具の前記連結支持部の側面に当接する固定部と、前記第一支持具の前記連結孔と重なる位置で前記固定部に形成された少なくとも２つの固定孔と、前記固定部から上方に延設された延設支持部と、前記延設支持部に前方が高く後方が低くなるように傾斜して形成され第二支持部材の端部が挿通され着脱自在に連結される長孔状の支持部材装着孔と、を有する第二支持具を備えたことを特徴とする請求項１に記載のアンカーサポート。
【請求項３】
前記第二支持具の前記支持部材装着孔が、前記延設支持部の前後２箇所に配設さていることを特徴とする請求項２に記載のアンカーサポート。
【請求項４】
請求項１乃至３の内いずれか１項に記載のアンカーサポートを備えたことを特徴とする椅子。
【考案の詳細な説明】
【技術分野】
【０００１】
本考案は、障害者や要介護者等が使用する車椅子やバギー等の各種椅子の着座部に着脱自在に装着されるアンカーサポート及びそれを備えた椅子に関する。
【背景技術】
【０００２】
従来、障害者や要介護者等が使用する車椅子やバギー等の各種椅子において、着座部の前方を高くすることにより、使用者の骨盤が前方に滑ることを防止するアンカーサポートが知られている。
図７（ａ）は従来の椅子の着座部の要部模式平面図であり、図７（ｂ）は従来の椅子の着座部の要部模式側面図である。
図７中、２０は障害者や要介護者等が使用する車椅子やバギー等の椅子における着座部、２１は着座部２０の左右の側部フレーム、２２は各々の側部フレーム２１の前端部に配設された左右一対の水平支持部材取付具、２３は円筒状に形成され側部フレーム２１の前端部に嵌装され固定螺子２４（図７（ｂ））で固定された水平支持部材取付具２２の装着部、２３ａは各装着部２３の下部に形成されたレッグレストの角度調整部、２５は各装着部２３から側部フレーム２１の内側水平方向に突出して形成された水平支持部材取付具２２の水平連結部、２６は後述する水平支持部材の端部が着脱自在に連結される長孔状の水平支持部材装着部である。
【０００３】
以上のように構成された椅子の使用方法について説明する。
図８（ａ）は従来の椅子の使用状態を示す要部模式平面図であり、図８（ｂ）は従来の椅子の使用状態を示す要部模式正面図である。
図８中、２７はポリプロピレン製やポリエステル製などの織物繊維でベルト状に形成され左右の水平支持部材取付具２２の水平連結部２５の水平支持部材装着部２６に両端部が挿通固定された水平支持部材である。
これにより、水平支持部材２７の張り具合を調整して使用者の大腿部を座面位置で支持することができるが、使用者の骨盤が前方に滑り易く、姿勢が安定し難いという問題点があった。
そこで、例えば、（特許文献１）には、「着座時の体位が後傾姿勢になるように、大腿部下に位置するアンカー材の厚みよりも、坐骨下に位置するアンカー材の厚みが薄いことを特徴とする着座姿勢保持用クッション」が開示されている。この着座姿勢保持用クッションを上述した椅子などの着座部２０に載置することにより、使用者の体位を後傾姿勢にして、骨盤が前方に滑ることを防止できる。
また、椅子の着座部の構造を改良したものとして、（特許文献２）には、「椅子等の座位箇所に配置して、クッション部を支える座板を有し、この座板と座位箇所との間に、クッション部の腰部を支える箇所から、膝裏に対応する箇所にかけての支持角度を変更可能とするスペーサ部材を介在させたことを特徴とする椅子等の座部装置」が開示されている。
【先行技術文献】
【特許文献】
【０００４】
【特許文献１】特開２０１２−２９９９８号
【特許文献２】特開２００３−１２６１６１号
【考案の概要】
【考案が解決しようとする課題】
【０００５】
しかしながら、上記従来の技術は以下のような課題を有していた。
（１）（特許文献１）の着座姿勢保持用クッションは、傾斜状のアンカー材の上に緩衝材が一体化されているだけで、傾斜角度や高さを調整することができず汎用性に欠けるという課題を有している。
（２）（特許文献２）の座部装置は、傾斜状のスペーサ部材によってクッション部を傾斜させるものであるが、ベースフレームとスペーサ部材を位置決めピンと位置決め穴で固定し、スペーサ部材の上にクッション部を支持する座板を磁石で密着させ、座板の側縁部をベースフレームにボルト止めして固定しているため、部品点数が多く、傾斜角度や高さの調整にも手間がかかり、組立作業性、使用性に欠けるという課題を有している。
（３）この他に、着座部のフレームを折り曲げる等して、着座部の前端側を持ち上げるように形成したものもあるが、製造時に高さと角度が決まり、後から調節することができず、汎用性に欠けるという課題を有している。
（４）また、ネジや歯車、セレーション等の機械的な機構を用いて高さや角度を調節できるようにしたものは、構造が複雑で、重量も増加し、量産性、取扱い性に欠けるだけでなく、故障や動作不良が発生し易く、動作安定性、メンテナンス性に欠けると共に、昇降部分等の可動部に手指や衣類等を挟むおそれがあり、安全性に欠けるという課題を有している。
【０００６】
本考案は、上記課題を解決するもので、簡素な構成で量産性、耐久性に優れ、簡便かつ確実に固定することができ、組立て作業性、固定安定性に優れると共に、必要に応じて容易に着脱することができ、着脱作業性に優れるだけでなく、使用者の体格、症状の変化、好みなどに応じて、容易に着座部の前端側の高さ（角度）を調整することができ、保持安定性、汎用性に優れるアンカーサポートの提供、及びアンカーサポートにより使用者の骨盤が前方に滑ることを防止して、安定した姿勢で座ることができ、緊張を抑制することが可能で、特に福祉用椅子としての使用性、機能性に優れる椅子の提供を目的とする。
【０００７】
本考案の請求項１に記載のアンカーサポートは、障害者や要介護者が使用する椅子の着座部に着脱自在に装着されるアンカーサポートであって、前記着座部の左右各々の側部フレームの前端部に着脱自在に嵌着される略筒状の固着部と、前記固着部から上方に延設された連結支持部と、前記連結支持部に前方が高く後方が低くなるように傾斜して形成され第一支持部材の端部が挿通され着脱自在に連結される長孔状の連結孔と、を有する第一支持具を備えた構成を有している。
この構成により、以下のような作用を有する。
（１）第一支持具が、着座部の左右各々の側部フレームの前端部に着脱自在に嵌着される略円筒状の固着部を有するので、第一支持具を着座部の両側部に簡便かつ確実に固定することができ、構造が簡単で、量産性、組立て作業性、固定安定性に優れる。
（２）第一支持具が、固着部から上方に延設された連結支持部と、連結支持部に前方が高く後方が低くなるように傾斜して形成され第一支持部材の端部が挿通され着脱自在に連結される長孔状の連結孔を有するので、ベルト状に形成された第一支持部材を左右の第一支持具の間に簡単かつ確実に渡設することができ、第一支持部材の固定安定性に優れると共に、第一支持部材の着脱、交換が容易で、第一支持部材の着脱作業性、メンテナンス性に優れる。
（３）第一支持具の固着部から上方に延設された連結支持部に、第一支持部材の端部が挿通される連結孔が形成されていることにより、左右の第一支持具の間に渡設される第一支持部材で、使用者の大腿部を座面より高い位置で支持することができ、使用者の骨盤が前方に滑ることを防止し、安定した姿勢で座ることができ、大腿部の支持安定性に優れる。
（４）固着部により着座部の側部フレームに固着される第一支持具は、必要に応じて容易に着脱することができ、着脱作業性、使用性に優れる。
（５）第一支持具の連結支持部に第一支持部材の端部が挿通される連結孔が形成されているので、第一支持部材の張り具合を容易に調整することができ、汎用性、取扱い性に優れる。
（６）連結支持部の連結孔が、前方が高く後方が低くなるように傾斜して形成されているので、傾斜した大腿部を第一支持部材の幅全体で確実に支持することができ、大腿部の支持安定性に優れる。
【０００８】
ここで、第一支持具の材質としては、ポリアミド、ＡＢＳ、ポリカーボネート、ポリアセタール、ポリフェニレンエーテル、ポリブチレンテレフタレートなどのエンジニアリングプラスチック等が好適に用いられる。
固着部の形状は、着座部の側部フレームの形状等に応じて、適宜、選択することができる。尚、固着部は側部フレームに直接、取り付けてもよいし、側部フレームに装着される別部材を介して取り付けてもよい。また、固着部の固定方法は、適宜、選択することができるが、着脱容易性、固定確実性に優れる螺子止めが好適に用いられる。
尚、第一支持部材としては、ポリプロピレン製やポリエステル製などの織物繊維でベルト状に形成されたものが好適に用いられる。第一支持部材の長さや張り具合を調整することにより、適度な弾力性で使用者の大腿部を所定の角度に支持することができ、保持安定性に優れる。
【０００９】
連結孔の高さ方向位置は、使用者の体格にもよるが、座面より１０ｍｍ〜４０ｍｍ程度高い位置が好ましい。また、連結孔の傾斜角度は、５度〜３０度の範囲で適宜、選択することができる。連結孔の傾斜角度が５度より小さくなるにつれ、連結孔に装着される第一支持部材の傾斜角度が、大腿部の傾斜角度より小さくなって、第一支持部材の前端側で大腿部を支持し難くなる傾向があり、３０度より大きくなるにつれ、連結孔に装着される第一支持部材の傾斜角度が、大腿部の傾斜角度より大きくなって、第一支持部材の後端側で大腿部を支持し難くなる傾向があり、いずれも好ましくない。連結孔の傾斜角度が、５度〜３０度であることにより、傾斜した大腿部を第一支持部材の幅全体で確実に支持することができる。
尚、連結孔の形状は、第一支持部材の幅や厚さなどに応じて、適宜、選択することができる。
【００１０】
請求項２に記載の考案は、請求項１に記載のアンカーサポートであって、前記第一支持具の前記連結支持部の側面に当接する固定部と、前記第一支持具の前記連結孔と重なる位置で前記固定部に形成された少なくとも２つの固定孔と、前記固定部から上方に延設された延設支持部と、前記延設支持部に前方が高く後方が低くなるように傾斜して形成され第二支持部材の端部が挿通され着脱自在に連結される長孔状の支持部材装着孔と、を有する第二支持具を備えた構成を有している。
この構成により、請求項１の作用に加え、以下のような作用を有する。
（１）第二支持具が、第一支持具の連結支持部の側面に当接する固定部と、第一支持具の連結孔と重なる位置で固定部に形成された少なくとも２つの固定孔を有するので、第二支持具の固定部を第一支持具の連結支持部に簡便かつ確実に固定することができ、構造が簡単で、量産性、組立て作業性、固定安定性に優れる。
（２）第二支持具の固定部が、第一支持具の連結支持部に形成された連結孔と重なる位置に形成された少なくとも２つの固定孔を備えるので、連結孔と固定孔を利用して、第二支持具の固定部を第一支持具の連結支持部に簡単かつ確実に固定することができ、第二支持具の着脱作業性、固定安定性に優れる。
（３）第二支持具が、固定部から上方に延設された延設支持部と、延設支持部に前方が高く後方が低くなるように傾斜して形成され第二支持部材の端部が挿通され着脱自在に連結される長孔状の支持部材装着孔を有するので、ベルト状に形成された第二支持部材を左右の第二支持具の間に第二支持部材を簡単かつ確実に渡設することができ、第二支持部材の固定安定性に優れると共に、第二支持部材の着脱、交換が容易で、第二支持部材の着脱作業性、メンテナンス性に優れる。
（４）第二支持具の固定部から上方に延設された延設支持部に、第二支持部材の端部が挿通される支持部材装着孔が形成されていることにより、左右の第二支持具の間に渡設される第二支持部材で、使用者の大腿部を第一支持部材より高い位置で支持することができ、使用者の体格、症状の変化、好みなどに応じて、第一支持具と第二支持具を使い分けることができ、汎用性に優れる。
（５）固定部の固定孔により第一支持具の連結支持部に固定される第二支持具は、必要に応じて容易に着脱することができ、着脱作業性、使用性に優れる。
（６）第二支持具の延設支持部に第二支持部材の端部が挿通される支持部材装着孔が形成されているので、第二支持部材の張り具合を容易に調整することができ、汎用性、取扱い性に優れる。
（７）延設支持部の支持部材装着孔が、前方が高く後方が低くなるように傾斜して形成されているので、傾斜した大腿部を第二支持部材の幅全体で確実に支持することができ、大腿部の支持安定性に優れる。
【００１１】
ここで、第二支持具の材質は、第一支持具と同様なので説明を省略する。
固定孔は、連結孔を利用して第一支持具の連結支持部と、第二支持具の固定部を螺子止めできればよく、その孔径、間隔、数、配置などは、第一支持具の連結孔の幅や長さ等に応じて、適宜、選択することができる。固定孔と連結孔を利用して第一支持具と第二支持具を螺子止めすることにより、着脱容易性、固定確実性に優れる。
第一支持具の連結支持部の連結孔が長孔状に形成されていることにより、１つの連結孔のみで第一支持部材の取付けと、第二支持具の固定に対応することができるので、形状を簡素化することができ、加工性、量産性に優れる。
支持部材装着孔の高さ方向位置は、使用者の体格にもよるが、座面より２０ｍｍ〜９００ｍｍ程度高い位置が好ましい。また、支持部材装着孔の傾斜角度は、第一支持具の連結孔の傾斜角度と同様に、５度〜３０度の範囲で適宜、選択することが好ましい。
第二支持部材の材質は、第一支持部材と同様なので説明を省略する。尚、第二支持部材は、第一支持部材よりも高い位置で使用者の大腿部を支持するので、第二支持部材の幅を第一支持部材より幅広に形成することにより、大腿部との接触面積を拡げ、高い位置でも安定して大腿部を支持することができ、骨盤が前方に滑ることを確実に防止できる。
【００１２】
請求項３に記載の考案は、請求項２に記載のアンカーサポートであって、前記第二支持具の前記支持部材装着孔が、前記延設支持部の前後２箇所に配設さている構成を有している。
この構成により、請求項２の作用に加え、以下のような作用を有する。
（１）第二支持具の支持部材装着孔が、延設支持部の前後２箇所に配設さているので、前後２本の第二支持部材によって広い範囲で使用者の大腿部を確実かつ安定的に支持することができ、第一支持部材による支持高さより高い位置で支持しても、骨盤が前方に滑ることがなく、大腿部の支持の確実性、安定性に優れる。
ここで、各々の支持部材装着孔の長さを第一支持具の連結孔と同等の長さに形成することにより、第一支持部材と第二支持部材を同じ幅に形成して共通化することができ、量産性、取扱い性に優れる。
【００１３】
本考案の請求項４に記載の椅子は、請求項１乃至３の内いずれか１項に記載のアンカーサポートを備えた構成を有している。
この構成により、以下のような作用を有する。
（１）着座部の左右各々の側部フレームの前端部に装着される第一支持具と第二支持具を使い分けることにより、使用者の体格、症状の変化、好みなどに応じて、大腿部の支持高さ（角度）を複数段階に調整することができ、汎用性、機能性に優れる。
【考案の効果】
【００１４】
本考案のアンカーサポート及びそれを備えた椅子によれば、以下のような効果が得られる。
請求項１に記載の考案によれば、以下のような効果を有する。
（１）着座部に簡便かつ確実に固定することができると共に、必要に応じて容易に着脱することができる構造が簡単で、量産性、組立て作業性、固定安定性、着脱作業性に優れたアンカーサポートを提供することができる。
【００１５】
請求項２に記載の考案によれば、請求項１の効果に加え、以下のような効果を有する。
（１）使用者の体格、症状の変化、好みなどに応じて、第一支持具と第二支持具を使い分けて、大腿部の支持高さを調整することができる汎用性に優れたアンカーサポートを提供することができる。
【００１６】
請求項３に記載の考案によれば、請求項２の効果に加え、以下のような効果を有する。
（１）前後２本の第二支持部材によって広い範囲で使用者の大腿部を確実かつ安定的に支持することができ、第一支持部材による支持高さより高い位置で支持しても、骨盤が前方に滑ることのない大腿部の支持の確実性、安定性に優れたアンカーサポートを提供することができる。
【００１７】
請求項４に記載の考案によれば、以下のような効果を有する。
（１）必要に応じて第一支持具と第二支持具を使い分けることにより、大腿部の支持高さ（角度）を三段階に調整することができる汎用性、機能性に優れたアンカーサポートを備えた椅子を提供することができる。
【図面の簡単な説明】
【００１８】
【図１】（ａ）実施の形態１のアンカーサポートの第一支持具を示す模式側面図  （ｂ）実施の形態１のアンカーサポートの第一支持具を示す模式正面図
【図２】実施の形態１のアンカーサポートの第一支持具を椅子の着座部に装着した状態を示す要部模式側面図
【図３】実施の形態１のアンカーサポートの第１の使用状態を示す要部模式正面図
【図４】実施の形態１のアンカーサポートの第二支持具を示す模式側面図
【図５】実施の形態１のアンカーサポートの第一支持具及び第二支持具を椅子の着座部に装着した状態を示す要部模式正面図
【図６】実施の形態１のアンカーサポートの第２の使用状態を示す要部模式側面図
【図７】（ａ）従来の椅子の着座部の要部模式平面図  （ｂ）従来の椅子の着座部の要部模式側面図
【図８】（ａ）従来の椅子の使用状態を示す要部模式平面図  （ｂ）従来の椅子の使用状態を示す要部模式正面図
【考案を実施するための形態】
【００１９】
（実施の形態１）
本考案の実施の形態１におけるアンカーサポート及びそれを備えた椅子について、以下、図面を用いて説明する。なお、本考案は以下に説明する実施の形態に限定されるものではない。
まず、実施の形態１のアンカーサポートの第一支持具について説明する。
図１（ａ）は実施の形態１のアンカーサポートの第一支持具を示す模式側面図であり、図１（ｂ）は実施の形態１のアンカーサポートの第一支持具を示す模式正面図である。
図１中、１は障害者や要介護者等が使用する車椅子やバギー等の各種椅子の着座部の左右各々の側部フレームの前端部に着脱自在に装着されるポリアミド、ポリアセタール、ポリフェニレンエーテル、ポリブチレンテレフタレートなどのエンジニアリングプラスチック製の実施の形態１のアンカーサポートの第一支持具、２は着座部の左右各々の側部フレームの前端部に着脱自在に嵌着される第一支持具１の略円筒状の固着部、３は固着部２を側部フレームに螺子止めなどで固定するための第一支持具１の固定孔、３ａは固定孔３の外周に形成されたザグリ部（図１（ａ））、４は固着部２から上方に延設された第一支持具１の連結支持部、５は連結支持部４に前方が高く後方が低くなるように５度〜３０度傾斜して穿設され後述する第一支持部材の端部が着脱自在に挿通固定される第一支持具１の長孔状の連結孔、５ａは連結孔５の両端部に形成されたザグリ部である。
【００２０】
以上のように構成された実施の形態１のアンカーサポートの第一支持具の使用方法について説明する。
図２は実施の形態１のアンカーサポートの第一支持具を椅子の着座部に装着した状態を示す要部模式側面図であり、図３は実施の形態１のアンカーサポートの第１の使用状態を示す要部模式正面図である。
図２において、実施の形態１のアンカーサポートの第一支持具１が着座部２０の側部フレーム２１の前端部に装着されている。
図２中、６は第一支持具１の固着部２を側部フレーム２１に固定する固定螺子である。
図３中、７はポリプロピレン製やポリエステル製などの織物繊維でベルト状に形成され左右の第一支持具１の連結孔５に両端部が挿通固定された第一支持部材、８は左右一対の第一支持具１と左右の第一支持具１の間に渡設された第一支持部材７によって構成された実施の形態１の第１の使用状態におけるアンカーサポートである。
この第１の使用状態におけるアンカーサポート８では、第一支持部材７で使用者の大腿部を座面より１０ｍｍ〜４０ｍｍ程度高い位置で支持することができる。尚、第一支持部材が挿通固定される第一支持具１の長孔状の連結孔５が、前方が高く後方が低くなるように５度〜３０度傾斜しているので、使用者の大腿部を傾斜させた状態で第一支持部材６の幅全体で確実に支持することができる。
【００２１】
次に、実施の形態１のアンカーサポートの第二支持具について説明する。
図４は実施の形態１のアンカーサポートの第二支持具を示す模式側面図である。
図４中、１０は平板状に形成され第一支持具１を介して左右各々の側部フレーム２１の前端部に着脱自在に装着されるポリアミド、ポリアセタール、ポリフェニレンエーテル、ポリブチレンテレフタレートなどのエンジニアリングプラスチック製の実施の形態１のアンカーサポートの第二支持具、１１は第一支持具１の連結支持部４（図１参照）の内側面に当接する第二支持具１０の固定部、１２は第一支持具１の連結孔５（図１参照）の両端位置と重なる位置で固定部１１に形成された２つの固定孔、１３は固定部１１から上方に延設された第二支持具１０の延設支持部、１４ａ，１４ｂは延設支持部１３に前方が高く後方が低くなるように５度〜３０度傾斜して穿設され第一支持部材７と同様のベルト状に形成された２本の第二支持部材の端部がそれぞれ着脱自在に挿通固定される第二支持具１０の長孔状の支持部材装着孔である。
【００２２】
以上のように構成された実施の形態１のアンカーサポートの第二支持具の使用方法について説明する。
図５は実施の形態１のアンカーサポートの第一支持具及び第二支持具を椅子の着座部に装着した状態を示す要部模式正面図であり、図６は実施の形態１のアンカーサポートの第２の使用状態を示す要部模式側面図である。
図５及び図６において、実施の形態１のアンカーサポートの第一支持具１及び第二支持具１０が着座部２０の側部フレーム２１の前端部に装着されている。
図６中、８ａは実施の形態１の第２の使用状態におけるアンカーサポート、１５は第一支持具１の連結孔５の両端位置で第一支持具１の連結支持部４と第二支持具１０の固定部１１を固定する固定螺子、１６ａ，１６ｂは第一支持部材７と同様のベルト状等に形成され左右の第二支持具１０の支持部材装着孔１４ａ，１４ｂにそれぞれの両端部が挿通固定された２本の第二支持部材である。
この第２の使用状態におけるアンカーサポート８ａでは、第二支持部材１６ａ，１６ｂで使用者の大腿部を第１の使用状態における第一支持部材７よりさらに１０ｍｍ〜５０ｍｍ程度高く、座面より２０ｍｍ〜９０ｍｍ程度高い位置で支持することができる。第二支持具１０の延設支持部１３により支持高さが高くなるが、２本の第二支持部材１６ａ，１６ｂにより、広い範囲で大腿部を確実に支持することができ、不安定になることを防止できる。尚、第二支持部材１６ａ，１６ｂが挿通固定される第二支持具１０の長孔状の支持部材装着部１４ａ，１４ｂが、前方が高く後方が低くなるように５度〜３０度傾斜しているので、使用者の大腿部を傾斜させた状態で２本の第一支持部材１６ａ，１６ｂの幅全体で確実に支持することができる。
【００２３】
以上のように構成された本考案の実施の形態１におけるアンカーサポートによれば、以下の作用を有する。
（１）第一支持具が、着座部の左右各々の側部フレームの前端部に着脱自在に嵌着される略円筒状の固着部を有するので、第一支持具を着座部の両側部に簡便かつ確実に固定することができ、構造が簡単で、量産性、組立て作業性、固定安定性に優れる。
（２）第一支持具が、固着部から上方に延設された連結支持部と、連結支持部に前方が高く後方が低くなるように傾斜して形成され第一支持部材の端部が挿通され着脱自在に連結される長孔状の連結孔を有するので、ベルト状に形成された第一支持部材を左右の第一支持具の間に簡単かつ確実に渡設することができ、第一支持部材の固定安定性に優れると共に、第一支持部材の着脱、交換が容易で、第一支持部材の着脱作業性、メンテナンス性に優れる。
（３）第一支持具の固着部から上方に延設された連結支持部に、第一支持部材の端部が挿通される連結孔が形成されていることにより、左右の第一支持具の間に渡設される第一支持部材で、使用者の大腿部を座面より高い位置で支持することができ、使用者の骨盤が前方に滑ることを防止し、安定した姿勢で座ることができ、大腿部の支持安定性に優れる。
（４）固着部により着座部の側部フレームに固着される第一支持具は、必要に応じて容易に着脱することができ、着脱作業性、使用性に優れる。
（５）第一支持具の連結支持部に第一支持部材の端部が挿通される連結孔が形成されているので、第一支持部材の張り具合を容易に調整することができ、汎用性、取扱い性に優れる。
（６）連結支持部の連結孔が、前方が高く後方が低くなるように傾斜して形成されているので、傾斜した大腿部を第一支持部材の幅全体で確実に支持することができ、大腿部の支持安定性に優れる。
（７）第二支持具が、第一支持具の連結支持部の側面に当接する固定部と、第一支持具の連結孔と重なる位置で固定部に形成された少なくとも２つの固定孔を有するので、第二支持具の固定部を第一支持具の連結支持部に簡便かつ確実に固定することができ、構造が簡単で、量産性、組立て作業性、固定安定性に優れる。
（８）第二支持具の固定部が、第一支持具の連結支持部に形成された連結孔と重なる位置に形成された少なくとも２つの固定孔を備えるので、連結孔と固定孔を利用して、第二支持具の固定部を第一支持具の連結支持部に簡単かつ確実に固定することができ、第二支持具の着脱作業性、固定安定性に優れる。
（９）第二支持具が、固定部から上方に延設された延設支持部と、延設支持部に前方が高く後方が低くなるように傾斜して形成され第二支持部材の端部が挿通され着脱自在に連結される長孔状の支持部材装着孔を有するので、ベルト状に形成された第二支持部材を左右の第二支持具の間に第二支持部材を簡単かつ確実に渡設することができ、第二支持部材の固定安定性に優れると共に、第二支持部材の着脱、交換が容易で、第二支持部材の着脱作業性、メンテナンス性に優れる。
（１０）第二支持具の固定部から上方に延設された延設支持部に、第二支持部材の端部が挿通される支持部材装着孔が形成されていることにより、左右の第二支持具の間に渡設される第二支持部材で、使用者の大腿部を第一支持部材より高い位置で支持することができ、使用者の体格、症状の変化、好みなどに応じて、第一支持具と第二支持具を使い分けることができ、汎用性に優れる。
（１１）固定部の固定孔により第一支持具の連結支持部に固定される第二支持具は、必要に応じて容易に着脱することができ、着脱作業性、使用性に優れる。
（１２）第二支持具の延設支持部に第二支持部材の端部が挿通される支持部材装着孔が形成されているので、第二支持部材の張り具合を容易に調整することができ、汎用性、取扱い性に優れる。
（１３）延設支持部の支持部材装着孔が、前方が高く後方が低くなるように傾斜して形成されているので、傾斜した大腿部を第二支持部材の幅全体で確実に支持することができ、大腿部の支持安定性に優れる。
（１４）第二支持具の支持部材装着孔が、延設支持部の前後２箇所に配設さているので、前後２本の第二支持部材によって広い範囲で使用者の大腿部を確実かつ安定的に支持することができ、第一支持部材による支持高さより高い位置で支持しても、骨盤が前方に滑ることがなく、大腿部の支持の確実性、安定性に優れる。
【００２４】
以上のように構成された本考案の実施の形態１におけるアンカーサポートを備えた椅子によれば、以下の作用を有する。
（１）着座部の左右各々の側部フレームの前端部に装着される第一支持具と第二支持具を使い分けることにより、使用者の体格、症状の変化、好みなどに応じて、大腿部の支持高さ（角度）を複数段階に調整することができ、汎用性、機能性に優れる。
【産業上の利用可能性】
【００２５】
本考案は、簡素な構成で量産性、耐久性に優れ、簡便かつ確実に固定することができ、組立て作業性、固定安定性に優れると共に、必要に応じて容易に着脱することができ、着脱作業性に優れるだけでなく、使用者の体格、症状の変化、好みなどに応じて、容易に着座部の前端側の高さ（角度）を調整することができ、汎用性に優れるアンカーサポートの提供、及びアンカーサポートにより使用者の骨盤が前方に滑ることを防止して、安定した姿勢で座ることができ、緊張を抑制することが可能で、使用性、機能性に優れる椅子の提供を行うことができ、障害者や要介護者が使用する車椅子やバギー等の各種椅子の福祉用椅子としての使用性を向上させることができる。
【符号の説明】
【００２６】
１  第一支持具
２  固着部
３  固定孔
３ａ  ザグリ部
４  連結支持部
５  連結孔
５ａ  ザグリ部
６  固定螺子
７  第一支持部材
８  アンカーサポート（第１の使用状態）
８ａ  アンカーサポート（第２の使用状態）
１０  第二支持具
１１  固定部
１２  固定孔
１３  延設支持部
１４ａ，１４ｂ  支持部材装着孔
１５  固定螺子
１６ａ，１６ｂ  第二支持部材
２０  着座部
２１  側部フレーム
２２  水平支持部材取付具
２３  装着部
２３ａ  角度調整部
２４  固定螺子
２５  水平連結部
２６  水平支持部材装着部
２７  水平支持部材
【図１】
0003180183.tif 000003
【図２】
0003180183.tif 000004
【図３】
0003180183.tif 000005
【図４】
0003180183.tif 000006
【図５】
0003180183.tif 000007
【図６】
0003180183.tif 000008
【図７】
0003180183.tif 000009
【図８】
0003180183.tif 000010